(57)【要約】【課題】球流下変換部材が誘導する遊技球の流下方向の設定を変更することができ、球流下変換部材へ衝接した遊技球の流下態様を変化させることができる遊技機を提供する。【解決手段】変換回動部２２は、回動軸２８と球誘導部２９と変換側磁性体３１とを備え、停止規制機構２３は、揺動部３５と錘部材３８と係止突起３９とを備え、係止突起３９には規制側磁性体４１を配置し、変換部材ベース部２１には一対の係止受部４４を設け、変換回動部２２が回動すると、揺動部３５が揺動して係止突起３９をいずれかの係止受部４４へ係止し、この係止状態で規制側磁性体４１と変換側磁性体３１とを吸引させて変換回動部２２の停止姿勢を規制可能とし、係止突起３９と一方の係止受部４４とを係止した状態で規制される球誘導部２９の停止姿勢と、係止突起３９と他方の係止受部４４とを係止した状態で規制される球誘導部２９の停止姿勢とを異ならせた。【選択図】図２
2011055862.tif 000002
【特許請求の範囲】
【請求項１】
遊技盤の前面に遊技領域を区画形成し、該遊技領域には遊技球の流下方向を変換可能な球流下変換部材を備えた遊技機において、
前記球流下変換部材は、
当該球流下変換部材を前記遊技盤へ装着するための変換部材ベース部と、
該変換部材ベース部のうち前記遊技領域に臨ませる前側に回動自在な状態で軸着された変換回動部と、
前記変換部材ベース部の後側に位置し、前記変換回動部の停止姿勢を規制可能な停止規制機構と、を備え、
前記変換回動部は、
前記遊技盤の前後方向に沿って延在する回動軸と、
当該変換回動部の回動中心となる前記回動軸から離隔する方向へ延設され、前記遊技領域を流下する遊技球を衝接させてその流下方向を誘導可能な球誘導部と、
前記回動軸から半径方向へ外れた位置に配設された変換側磁性体と、を共回りする状態で備え、
前記停止規制機構は、
前記変換側磁性体との間に吸引力を作用させる規制側磁性体と、
前記回動軸を軸孔内へ嵌合して前記球誘導部側に接続され、前記球誘導部が発生する回動力を受けて前記回動軸周りに揺動可能な揺動部と、
該揺動部のうち前記軸孔から外れた位置に形成された収容空部内に収容された錘部材と、
前記揺動部のうち前記軸孔を挟んで前記錘部材とは反対側に突設された係止突起と、を備え、
該係止突起には前記規制側磁性体を配置し、前記錘部材を前記収容空部内で前記回動軸の軸方向に対してねじれ位置の方向へ移動可能とし、
前記変換部材ベース部の前記停止規制機構側には、前記係止突起が係止可能な一対の係止受部を前記係止突起が当該一対の係止受部の間に位置する状態で設け、
前記遊技領域を流下する遊技球が前記球誘導部に衝接して前記変換回動部が回動すると、前記揺動部が前記回動軸から伝達された回動力で前記回動軸周りに揺動して、前記係止突起をいずれかの前記係止受部へ係止するとともに前記錘部材を前記収容空部内の一方から他方へ移動し、前記錘部材の自重により前記揺動部を付勢して前記係止突起と前記係止受部との係止状態を維持し、この係止状態で前記規制側磁性体と前記変換側磁性体との間に吸引力を作用させて前記変換回動部の停止姿勢および前記球誘導部の停止姿勢を規制可能とし、
前記係止突起と一方の前記係止受部とを係止した状態で規制される前記球誘導部の停止姿勢と、前記係止突起と他方の前記係止受部とを係止した状態で規制される前記球誘導部の停止姿勢と、を異ならせて、前記球誘導部による遊技球の誘導方向を変換可能としたことを特徴とする遊技機。
【請求項２】
前記変換部材ベース部の停止規制機構側には係止受位置変更機構を備え、
該係止受位置変更機構は、
前記係止受部を支持し、前記回動軸を中心にして前記係止受部と共回り可能な係止受支持部と、
該係止受支持部を前記変換部材ベース部へ係止して前記係止受部を位置決めする係止受位置決め部と、を備えたことを特徴とする請求項１に記載の遊技機。
【請求項３】
前記一対の係止受部の間に、前記係止突起と衝接可能な弾性突部を設けたことを特徴とする請求項１または請求項２に記載の遊技機。
【請求項４】
前記変換回動部は、前記球誘導部を前記遊技盤の前方から被覆する誘導部カバーを備え、該誘導部カバーを透明部材で形成したことを特徴とする請求項１から請求項３のいずれかに記載の遊技機。
【発明の詳細な説明】
【技術分野】
【０００１】
本発明は、遊技盤の前面に遊技領域を区画形成し、該遊技領域には遊技球の流下方向を変換可能な球流下変換部材を備えたパチンコ遊技機等の遊技機に関する。
【背景技術】
【０００２】
従来の遊技機、例えば、パチンコ遊技機においては、所謂風車等の回動部を備えた球流下変換部材を遊技領域内に配置し、該球流下変換部材へ衝接した遊技球が流下方向を変えて流下するように構成されている。
【０００３】
そして、球流下変換部材の回動部を、回動軸を中心して回動する円板と、回動軸から放射状に延設された複数の羽根と、回動軸から外れた位置に設けられた錘部材とを備えて構成する旨が提案されている（例えば、特許文献１参照）。この球流下変換部材では、錘部材の自重によって回動部を特定の姿勢で停止し易く、この特定姿勢で、円板の表面に施された装飾を遊技領域の装飾と融合する向き（停止位置）に安定させるように構成されている。さらに、回動部の羽根を一定の姿勢（鉛直方向に対して一定の角度をなす姿勢）で維持し易くして、この羽根に衝接した遊技球の流下方向がばらつくこと、言い換えると入賞口への所謂入賞ムラの発生を抑制することができるように構成されている。
【先行技術文献】
【特許文献】
【０００４】
【特許文献１】特開平１０−０８５３９６号公報
【発明の概要】
【発明が解決しようとする課題】
【０００５】
ところで、上記特許文献に記載のパチンコ遊技機では、錘部材の自重を利用して回動部の停止姿勢を安定させるため、維持し易い羽根の姿勢、ひいてはこの羽根の姿勢で決定される遊技球の流下方向（案内方向）の設定を変更することができない。このため、羽根に衝接した遊技球の流下方向のばらつきを抑えることができたとしても、遊技球の挙動が単調になる虞がある。
【０００６】
そこで、本発明は、上記の事情に鑑みてなされたものであり、その目的は、球流下変換部材が誘導する遊技球の流下方向の設定を変更することができ、球流下変換部材へ衝接した遊技球の流下態様を変化させることができる遊技機を提供しようとするものである。
【課題を解決するための手段】
【０００７】
本発明は、上記目的を達成するために提案されたものであり、請求項１に記載のものは、遊技盤の前面に遊技領域を区画形成し、該遊技領域には遊技球の流下方向を変換可能な球流下変換部材を備えた遊技機において、
前記球流下変換部材は、
当該球流下変換部材を前記遊技盤へ装着するための変換部材ベース部と、
該変換部材ベース部のうち前記遊技領域に臨ませる前側に回動自在な状態で軸着された変換回動部と、
前記変換部材ベース部の後側に位置し、前記変換回動部の停止姿勢を規制可能な停止規制機構と、を備え、
前記変換回動部は、
前記遊技盤の前後方向に沿って延在する回動軸と、
当該変換回動部の回動中心となる前記回動軸から離隔する方向へ延設され、前記遊技領域を流下する遊技球を衝接させてその流下方向を誘導可能な球誘導部と、
前記回動軸から半径方向へ外れた位置に配設された変換側磁性体と、を共回りする状態で備え、
前記停止規制機構は、
前記変換側磁性体との間に吸引力を作用させる規制側磁性体と、
前記回動軸を軸孔内へ嵌合して前記球誘導部側に接続され、前記球誘導部が発生する回動力を受けて前記回動軸周りに揺動可能な揺動部と、
該揺動部のうち前記軸孔から外れた位置に形成された収容空部内に収容された錘部材と、
前記揺動部のうち前記軸孔を挟んで前記錘部材とは反対側に突設された係止突起と、を備え、
該係止突起には前記規制側磁性体を配置し、前記錘部材を前記収容空部内で前記回動軸の軸方向に対してねじれ位置の方向へ移動可能とし、
前記変換部材ベース部の前記停止規制機構側には、前記係止突起が係止可能な一対の係止受部を前記係止突起が当該一対の係止受部の間に位置する状態で設け、
前記遊技領域を流下する遊技球が前記球誘導部に衝接して前記変換回動部が回動すると、前記揺動部が前記回動軸から伝達された回動力で前記回動軸周りに揺動して、前記係止突起をいずれかの前記係止受部へ係止するとともに前記錘部材を前記収容空部内の一方から他方へ移動し、前記錘部材の自重により前記揺動部を付勢して前記係止突起と前記係止受部との係止状態を維持し、この係止状態で前記規制側磁性体と前記変換側磁性体との間に吸引力を作用させて前記変換回動部の停止姿勢および前記球誘導部の停止姿勢を規制可能とし、
前記係止突起と一方の前記係止受部とを係止した状態で規制される前記球誘導部の停止姿勢と、前記係止突起と他方の前記係止受部とを係止した状態で規制される前記球誘導部の停止姿勢と、を異ならせて、前記球誘導部による遊技球の誘導方向を変換可能としたことを特徴とする遊技機である。
【０００８】
請求項２に記載のものは、前記変換部材ベース部の停止規制機構側には係止受位置変更機構を備え、
該係止受位置変更機構は、
前記係止受部を支持し、前記回動軸を中心にして前記係止受部と共回り可能な係止受支持部と、
該係止受支持部を前記変換部材ベース部へ係止して前記係止受部を位置決めする係止受位置決め部と、を備えたことを特徴とする請求項１に記載の遊技機である。
【０００９】
請求項３に記載のものは、前記一対の係止受部の間に、前記係止突起と衝接可能な弾性突部を設けたことを特徴とする請求項１または請求項２に記載の遊技機である。
【００１０】
請求項４に記載のものは、前記変換回動部は、前記球誘導部を前記遊技盤の前方から被覆する誘導部カバーを備え、該誘導部カバーを透明部材で形成したことを特徴とする請求項１から請求項３のいずれかに記載の遊技機である。
【発明の効果】
【００１１】
本発明によれば、以下のような優れた効果を奏する。
請求項１に記載の発明によれば、球流下変換部材は、当該球流下変換部材を遊技盤へ装着するための変換部材ベース部と、該変換部材ベース部のうち遊技領域に臨ませる前側に回動自在な状態で軸着された変換回動部と、変換部材ベース部の後側に位置し、変換回動部の停止姿勢を規制可能な停止規制機構と、を備え、変換回動部は、遊技盤の前後方向に沿って延在する回動軸と、当該変換回動部の回動中心となる前記回動軸から離隔する方向へ延設され、遊技領域を流下する遊技球を衝接させてその流下方向を誘導可能な球誘導部と、回動軸から半径方向へ外れた位置に配設された変換側磁性体と、を共回りする状態で備え、停止規制機構は、変換側磁性体との間に吸引力を作用させる規制側磁性体と、回動軸を軸孔内へ嵌合して球誘導部側に接続され、球誘導部が発生する回動力を受けて回動軸周りに揺動可能な揺動部と、該揺動部のうち軸孔から外れた位置に形成された収容空部内に収容された錘部材と、揺動部のうち軸孔を挟んで錘部材とは反対側に突設された係止突起と、を備え、該係止突起には規制側磁性体を配置し、錘部材を収容空部内で回動軸の軸方向に対してねじれ位置の方向へ移動可能とし、変換部材ベース部の停止規制機構側には、係止突起が係止可能な一対の係止受部を係止突起が当該一対の係止受部の間に位置する状態で設け、遊技領域を流下する遊技球が球誘導部に衝接して変換回動部が回動すると、揺動部が回動軸から伝達された回動力で回動軸周りに揺動して、係止突起をいずれかの係止受部へ係止するとともに錘部材を収容空部内の一方から他方へ移動し、錘部材の自重により揺動部を付勢して係止突起と係止受部との係止状態を維持し、この係止状態で規制側磁性体と変換側磁性体との間に吸引力を作用させて変換回動部の停止姿勢および球誘導部の停止姿勢を規制可能とし、係止突起と一方の係止受部とを係止した状態で規制される球誘導部の停止姿勢と、係止突起と他方の係止受部とを係止した状態で規制される球誘導部の停止姿勢と、を異ならせて、球誘導部による遊技球の誘導方向を変換可能としたので、球流下変換部材が誘導する遊技球の流下方向の設定を、球誘導部へ衝接した遊技球が伝達する力を利用して変更することができ、球流下変換部材へ衝接した遊技球の流下態様を変化させることができる。このことから、遊技者に遊技球の複雑な挙動を観賞させることができ、遊技の興趣の向上を図ることができる。
【００１２】
請求項２に記載の発明によれば、変換部材ベース部の停止規制機構側には係止受位置変更機構を備え、該係止受位置変更機構は、係止受部を支持し、回動軸を中心にして係止受部と共回り可能な係止受支持部と、該係止受支持部を変換部材ベース部へ係止して係止受部を位置決めする係止受位置決め部と、を備えたので、球誘導部の停止姿勢の設定、ひいては球流下変換部材によって案内される遊技球の流下方向の設定を容易に調整することができる。したがって、遊技球が球流下変換部材へ衝接してから入賞具へ入賞する難易度を簡単に設定することができる。
【００１３】
請求項３に記載の発明によれば、一対の係止受部の間に、係止突起と衝接可能な弾性突部を設けたので、球誘導部へ衝接した遊技球の衝撃の強弱、ひいては係止突起の揺動勢の強弱により、弾性突部が球誘導部の停止姿勢の変換を許容したり規制したりすることができる。したがって、球誘導部の停止姿勢の変換態様を複雑に設定することができ、遊技の興趣を一層高めることができる。
【００１４】
請求項４に記載の発明によれば、変換回動部は、球誘導部を遊技盤の前方から被覆する誘導部カバーを備え、該誘導部カバーを透明部材で形成したので、遊技者は、球誘導部の停止姿勢、ひいては球誘導部へ衝接した遊技球がどの方向へ流下していくかを容易に把握することができる。
【図面の簡単な説明】
【００１５】
【図１】遊技盤の正面図である。
【図２】球流下変換部材の説明図であり、（ａ）は正面図、（ｂ）は背面図、（ｃ）は斜視図である。
【図３】球流下変換部材の分解斜視図である。
【図４】停止規制機構を第１係止状態とし、変換回動部を第１停止姿勢とした球流下変換部材の説明図であり、（ａ）は背面図、（ｂ）は後方から見た斜視図である。
【図５】停止規制機構を第１係止状態とし、変換回動部を第１回動方向へ回動する状態の球流下変換部材の説明図である。
【図６】停止規制機構を第１係止状態から第２係止状態へ変換している途中の球流下変換部材の説明図であり、（ａ）は背面図、（ｂ）は後方から見た斜視図である。
【図７】停止規制機構を第２係止状態とし、変換回動部を第２停止姿勢とした球流下変換部材の説明図であり、（ａ）は背面図、（ｂ）は後方から見た斜視図である。
【図８】第２停止姿勢の変換回動部が遊技球を誘導する状態の説明図である。
【図９】停止規制機構を第２係止状態とし、変換回動部を第２回動方向へ回動する状態の球流下変換部材の説明図である。
【図１０】第２実施形態における球流下変換部材の説明図であり、（ａ）は前方から見た分解斜視図、（ｂ）は後方から見た分解斜視図である。
【図１１】第２実施形態における球流下変換部材の係止受部の位置変更の説明図であり、（ａ）は変更前の状態図、（ｂ）は変更後の状態図である。
【図１２】第３実施形態における球流下変換部材の説明図であり、（ａ）は係止突起を弾性突部へ押圧する前の状態図、（ｂ）は係止突起を弾性突部へ押圧している状態図、（ｃ）は係止突起により弾性突部を弾性変形させている状態図、（ｄ）は係止突起が弾性突部を押し退けて第２受部へ到達した状態図である。
【図１３】第４実施形態における変換回動部の説明図であり、（ａ）は正面図、（ｂ）は斜視図である。
【図１４】第５実施形態における球流下変換部材の説明図であり、（ａ）は斜視図、（ｂ）は分解斜視図である。
【発明を実施するための形態】
【００１６】
以下、代表的な遊技機であるパチンコ遊技機を例に挙げて本発明の実施の形態を図面に基づき説明する。
パチンコ遊技機の遊技盤１は、図１に示すように、矩形状の遊技盤本体２の前面にガイドレール３や複数のサイドケース４等の区画部材を装着して遊技領域５を区画形成し、該遊技領域５内の略中央には包囲枠体６を配置し、包囲枠体６の後方には、表示部７ａに複数の識別情報を変動表示して変動表示ゲームを行う変動表示装置７を備えている。また、遊技領域５のうち包囲枠体６の下方には、変動表示ゲーム始動用の始動入賞口８を配置し、包囲枠体６の側方（左側方）には普図始動ゲート９を配置し、包囲枠体６の左下方および右下方には、発光により各種の装飾表示を行うサイドランプ１１を配置し、該サイドランプ１１に一般入賞口１２を備えている。さらに、始動入賞口８の下方には大入賞口１３を配置し、該大入賞口１３の下方であって遊技領域５の下縁部には、入賞せずに流下した遊技球を回収するアウト口１４を開設している。そして、普図始動ゲート９の上方および下方には、遊技球の流下方向を変換可能な球流下変換部材（所謂風車）１５をそれぞれ配置している。
【００１７】
次に、球流下変換部材１５について説明する。
球流下変換部材１５は、図２および図３に示すように、当該球流下変換部材１５の基部となる変換部材ベース部２１と、該変換部材ベース部２１のうち遊技領域５に臨ませる前側（表側）に回動自在な状態で軸着された変換回動部２２と、変換部材ベース部２１のうち遊技盤本体２側となる後側（裏側）に設けられた停止規制機構２３と、を備えて構成されている。
【００１８】
変換部材ベース部２１は、横向き姿勢の略菱形を呈した部材であり、裏面を遊技盤本体２の表面に当接し、この状態で当該変換部材ベース部２１の両側をビス等の止着部材（図示せず）で止着して球流下変換部材１５を遊技盤１の前面へ装着するように構成されている。また、図２（ｂ）および（ｃ）に示すように、変換部材ベース部２１の裏面側には、横向き円筒スリーブ状の係止受支持部２５を中心軸が遊技盤１の前後方向に沿って延在する姿勢、且つ当該係止受支持部２５の後端部を開放した状態で設け、該係止受支持部２５内に後述する停止規制機構２３を収納している。さらに、変換部材ベース部２１の中央部には、変換回動部２２を軸支する軸受孔２６を開設し（図３参照）、該軸受孔２６と係止受支持部２５の内部とを連通している。
【００１９】
変換回動部２２は、図３に示すように、当該変換回動部２２の回動中心となる回動軸２８を遊技盤１の前後方向（厚さ方向）に沿って延在して備え、該回動軸２８を変換部材ベース部２１の軸受孔２６へ貫通（軸着）して当該変換回動部２２を回動自在とし、回動軸２８の後半部分を係止受支持部２５内へ突出するとともに、係止受支持部２５の中心軸と同一直線上に位置させている。また、回動軸２８の前半部分から羽根状の球誘導部２９を放射状、言い換えると回動軸２８から離隔する方向へ複数（本実施形態では３枚）延設し、該球誘導部２９を回動軸２８から半径方向へ外れた状態で遊技領域５へ臨ませて遊技球（遊技領域５を流下する遊技球）を衝接可能とし、球誘導部２９に衝接した遊技球の流下方向を球誘導部２９の延在方向（回動軸２８から離隔する方向）へ誘導可能としている。さらに、各球誘導部２９の後端部（変換部材ベース部２１側に位置する端部）には変換側磁性体３１を肉薄の鉄片で形成して備え、後述する停止規制機構２３の一部が変換側磁性体３１を磁力で吸引可能としている。そして、回動軸２８のうち球誘導部２９の前方に位置する箇所には、不透明部材で形成された円板状の誘導部カバー３２を備えて球誘導部２９を遊技盤１の前方から被覆し、回動軸２８、球誘導部２９、変換側磁性体３１、誘導部カバー３２が共回りするように一体的に構成されている。また、各球誘導部２９を同じ形状および重さに設定するとともに、回動軸２８の周りに同位相ずつずれた位置（本実施形態では１２０度ずつ位相がずれた位置）に配置し（図２（ａ）参照）、さらには誘導部カバー３２の中心を回動軸２８上に位置させて、当該変換回動部２２の重心を回動軸２８上に設定している。
【００２０】
停止規制機構２３は、変換回動部２２の停止姿勢を規制可能な機構である。具体的には、図２（ｂ）および図３に示すように、球流下変換部材１５の後方から見て逆Ｔ字状となる揺動部３５を設け、該揺動部３５の中心部には軸孔３６を遊技盤１の前後方向、言い換えると回動軸２８の軸方向に沿って貫通している。そして、揺動部３５を係止受支持部２５内へ変換部材ベース部２１の後方から収納し、この状態で軸孔３６に回動軸２８の後端を嵌合して揺動部３５を球誘導部２９側（変換回動部２２）へ接続し、揺動部３５が係止受支持部２５内で回動軸２８の周りに揺動（回動）可能、且つ回動軸２８が軸孔３６の内周面との間に摩擦を生じる状態で軸孔３６内を回動可能としている。したがって、揺動部３５が回動軸２８の周りの揺動を許容されている状態においては、揺動部３５と変換回動部２２とが共回りし、揺動を阻止されている状態においては、回動軸２８の後端部が軸孔３６から摩擦力を受けて滑りながら変換回動部２２が回動するように構成されている。
【００２１】
また、揺動部３５のうち軸孔３６から外れた位置、詳しくは揺動部３５の下部には、溝状の収容空部３７を回動軸２８の軸方向に対してねじれ位置の方向に沿って延在する姿勢で形成し、該収容空部３７内に球状の錘部材３８を収容空部３７の延在方向（回動軸２８の軸方向に対してねじれ位置の方向）に沿って移動（転動）可能な状態で収納している。さらに、揺動部３５のうち回動軸２８を挟んで錘部材３８および収容空部３７とは反対の位置、詳しくは揺動部３５の上部には係止突起３９を係止受支持部２５の内周面側へ向けて突設し、該係止突起３９の突出端部（上端部）から前方の変換回動部２２側へ向けて円筒状の磁性体保持部４０を突出し、該磁性体保持部４０内には、短尺棒状の永久磁石で形成された規制側磁性体４１を回動軸２８の軸方向に沿って延在する姿勢で保持している。そして、規制側磁性体４１の前端部（変換回動部２２側に位置する端部）を変換部材ベース部２１の裏面のうち係止受支持部２５内に露出した箇所に臨ませ、変換側磁性体３１と規制側磁性体４１とが変換部材ベース部２１を挟んで前後に並んで位置し得る状態、ひいては変換側磁性体３１と規制側磁性体４１との間に吸引力（磁力）を作用させ得る状態に設定している。
【００２２】
さらに、球流下変換部材１５は、変換部材ベース部２１の裏側（停止規制機構２３側）に配置された係止受支持部２５内に、係止突起３９が係止可能な一対の係止受部４４（第１受部４４ａ、第２受部４４ｂ）を支持している。具体的に説明すると、係止受支持部２５の内周面のうち係止突起３９の一側方（図２（ｂ）中、左側方）に位置する箇所には、第１受部４４ａを回動軸２８側（軸孔３６側）へ向けて突設し、係止受支持部２５の内周面のうち係止突起３９の他側方（図２（ｂ）中、右側方）に位置する箇所には、第２受部４４ｂを回動軸２８側（軸孔３６側）へ向けて突設し、係止突起３９を一対の係止受部４４の間に位置させている。また、第１受部４４ａと第２受部４４ｂとの離間距離を係止突起３９の揺動方向の幅（左右幅）よりも十分に広く設定して、係止突起３９を係止受部４４の間で横方向（左右方向）へ揺動可能としている。
【００２３】
そして、停止規制機構２３は、図２（ｂ），図４（ａ）および（ｂ）に示すように、揺動部３５を回動軸２８の周りに揺動して係止突起３９を第１受部４４ａへ係止する状態（第１係止状態）へ変換すると、収容空部３７の底面を第２受部４４ｂ側から第１受部４４ａ側へ（図４（ａ）中、右側から左側へ）向けて下り傾斜した姿勢、且つ収容空部３７の傾斜下端が回動軸２８よりも第１受部４４ａ側（図４（ａ）中、左側）に位置する姿勢とし、錘部材３８を移動して収容空部３７の傾斜下端に位置させる。すると、収容空部３７の傾斜下端を区画する底部を錘部材３８の自重により第２受部４４ｂ側（図４（ａ）中、右側）へ押圧して、錘部材３８（ひいては停止規制機構２３の重心位置）を回動軸２８の直下へ移動しようとする付勢回転モーメントＭｇを回動軸２８の周りに発生させる。さらに、この付勢回転モーメントＭｇにより揺動部３５を第１回動方向Ｒ１（図４（ａ）中、反時計方向）へ付勢して係止突起３９を第１受部４４ａへ押圧し、係止突起３９と第１受部４４ａとの係止状態（第１係止状態）を維持する。
【００２４】
一方、図７（ａ）および（ｂ）に示すように、揺動部３５を回動軸２８の周りに揺動して係止突起３９を第２受部４４ｂへ係止する状態（第２係止状態）へ変換すると、収容空部３７を第１受部４４ａ側から第２受部４４ｂ側へ（図７（ａ）中、左側から右側へ）向けて下り傾斜した姿勢、且つ収容空部３７の傾斜下端が回動軸２８よりも第２受部４４ｂ側（図７（ａ）中、右側）に位置する姿勢とし、錘部材３８を移動して収容空部３７の傾斜下端に位置させる。すると、収容空部３７の傾斜下端を区画する底部を錘部材３８の自重により第１受部４４ａ側（図７（ａ）中、左側）へ押圧して、錘部材３８（ひいては停止規制機構２３の重心位置）を回動軸２８の直下へ移動しようとする付勢回転モーメントＭｇを回動軸２８の周りに発生させる。さらに、この付勢回転モーメントＭｇにより揺動部３５を第２回動方向Ｒ２（図７（ａ）中、時計方向）へ付勢して係止突起３９を第２受部４４ｂへ押圧し、係止突起３９と第２受部４４ｂとの係止状態（第２係止状態）を維持する。
【００２５】
停止規制機構２３を第１係止状態または第２係止状態で維持すると、球流下変換部材１５は、各係止状態で規制側磁性体４１と変換側磁性体３１との間に吸引力を作用させて、何れかの球誘導部２９を係止突起３９の前方に位置させ、変換回動部２２の停止姿勢および球誘導部２９の停止姿勢を規制する。具体的には、停止規制機構２３を第１係止状態で維持すると、図４（ａ）に示すように、２つの球誘導部２９（第１誘導部２９ａ、第２誘導部２９ｂ）を回動軸２８の左右両側方に位置する状態で球流下変換部材１５の上方へ臨ませ、回動軸２８の一側方（図４（ａ）中、左側方）に位置する第１誘導部２９ａを第１受部４４ａ側、言い換えると包囲枠体６側（図４（ａ）中、左側）から回動軸２８側へ向けて下り傾斜させる。さらに、回動軸２８の他側方（図４（ａ）中、右側方）に位置する第２誘導部２９ｂを回動軸２８側から第２受部４４ｂ側、言い換えると当該球流下変換部材１５を挟んで包囲枠体６とは反対側（図４（ａ）中、右側）へ向けて横向き姿勢で延在させ、この停止姿勢（第１停止姿勢）で変換回動部２２の回動を規制する。
【００２６】
また、停止規制機構２３を第２係止状態で維持すると、図７（ａ）に示すように、２つの球誘導部２９（第１誘導部２９ａ、第２誘導部２９ｂ）を回動軸２８の左右両側方に位置する状態で球流下変換部材１５の上方へ臨ませ、第１誘導部２９ａを回動軸２８側から包囲枠体６側（図７（ａ）中、左側）へ向けて横向き姿勢で延在させる。さらに、第２誘導部２９ｂを第２受部４４ｂ側、言い換えると当該球流下変換部材１５を挟んで包囲枠体６とは反対側（図７（ａ）中、右側）から回動軸２８側へ向けて下り傾斜させ、この停止姿勢（第２停止姿勢）で変換回動部２２の回動を規制する。
【００２７】
次に、上記した構成を有する球流下変換部材１５の動作について説明する。なお、球流下変換部材１５は、予め停止規制機構２３（揺動部３５）を第１係止状態で維持しているとともに、変換回動部２２を第１停止姿勢で維持しているものとする（図４参照）。また、球誘導部２９が遊技球から受ける押圧力（衝撃）で回動軸２８の周りに発生する回転モーメントを押圧回転モーメントＭｐとし、回動軸２８と軸孔３６との摩擦力や変換側磁性体３１と規制側磁性体４１との吸引力により押圧回転モーメントＭｐに抗して回動軸２８の周りに発生する回転モーメントを抵抗回転モーメントＭｒとする。そして、付勢回転モーメントＭｇを抵抗回転モーメントＭｒよりも小さく設定して、揺動部３５が錘部材３８による付勢力に抗して変換回動部２２と共回りできるように構成しているものとする。
【００２８】
発射装置（図示せず）から発射された遊技球が遊技領域５へ飛入して流下し、変換回動部２２の球誘導部２９へ上方から衝接すると、球流下変換部材１５は、遊技球により球誘導部２９を押圧され、この押圧力の強弱に基づいて、変換回動部２２を回動したり、変換回動部２２を回動せずに遊技球を球誘導部２９上へ転動させたりする。具体的に説明すると、遊技球が第１誘導部２９ａに衝接し、押圧回転モーメントＭｐが抵抗回転モーメントＭｒ以下の大きさで第１回動方向Ｒ１へ向けて作用した場合には、変換回動部２２を第１停止姿勢のままとするとともに停止規制機構２３を第１係止状態のままとする。この結果、遊技球を第１誘導部２９ａ上から第２誘導部２９ｂ上へ転動させて、当該遊技球の流下方向を下方向から横方向（包囲枠体６から側方へ遠ざかる方向）へ変換するように誘導する（図４（ａ）参照）。
【００２９】
また、押圧回転モーメントＭｐが抵抗回転モーメントＭｒよりも大きい値で第１回動方向Ｒ１へ向けて作用した場合には、図５に示すように、停止規制機構２３を第１係止状態のままとし、この状態で変換回動部２２を回動軸２８と軸孔３６との摩擦力に抗して第１回動方向Ｒ１へ回動する。すると、球誘導部２９上で遊技球を誘導せず、該遊技球の流下方向を下向きのままで維持して球流下変換部材１５の下方へ流下させる。そして、変換回動部２２の回動勢が回動軸２８と軸孔３６との摩擦力で弱まり、この状態でいずれかの変換側磁性体３１が規制側磁性体４１へ近づくと、変換側磁性体３１と規制側磁性体４１との間に吸引力に作用させて、変換回動部２２を再び第１停止姿勢へ変換する。
【００３０】
一方、遊技球が第２誘導部２９ｂに衝接して、押圧回転モーメントＭｐが付勢回転モーメントＭｇ以下の大きさで第２回動方向Ｒ２へ向けて作用した場合には、球流下変換部材１５は、変換回動部２２を回動せずに第１停止姿勢を維持し、且つ錘部材３８の自重に基づく付勢力（言い換えると付勢回転モーメントＭｇ）により停止規制機構２３を第１係止状態で維持する。しかしながら、押圧回転モーメントＭｐが付勢回転モーメントＭｇよりも大きい値で第２回動方向Ｒ２へ向けて作用した場合には、図６（ａ）および（ｂ）に示すように、変換回動部２２を第２回動方向Ｒ２へ回動し、さらには揺動部３５を変換回動部２２とともに第２回動方向Ｒ２へ共回りさせる。詳しくは、球誘導部２９が遊技球との衝接により発生させた回動力を回動軸２８から揺動部３５へ伝達したり、変換側磁性体３１と規制側磁性体４１との間に吸引力を作用させたりして、揺動部３５を回動軸２８の周りに第２回動方向Ｒ２へ揺動する。そして、図７（ａ）および（ｂ）に示すように、係止突起３９を第２受部４４ｂへ係止して第２係止状態へ変換するとともに、収容空部３７を第１受部４４ａ側から第２受部４４ｂ側へ下り傾斜させ、錘部材３８を収容空部３７内の一方から他方へ（第１受部４４ａ側から第２受部４４ｂ側へ）移動し、錘部材３８の自重により揺動部３５を付勢して係止突起３９と第２受部４４ｂとの係止状態（第２係止状態）を維持する。さらに、変換側磁性体３１と規制側磁性体４１との間で吸引力が作用し続けて、変換回動部２２の停止姿勢および球誘導部２９の停止姿勢を第２停止姿勢で規制する。
【００３１】
そして、停止規制機構２３を第２係止状態へ変換している状態、且つ変換回動部２２を第２停止姿勢で規制している状態で遊技球が第２誘導部２９ｂに衝接し、押圧回転モーメントＭｐが抵抗回転モーメントＭｒ以下の大きさで第２回動方向Ｒ２へ向けて作用した場合には、図８に示すように、変換回動部２２を第２停止姿勢で維持するとともに停止規制機構２３を第２係止状態で維持する。この結果、遊技球を第２誘導部２９ｂ上から第１誘導部２９ａ上へ転動させて、当該遊技球の流下方向を下方向から横方向（包囲枠体６へ側方から近づく方向）へ変換するように遊技球を誘導する。
【００３２】
また、押圧回転モーメントＭｐが抵抗回転モーメントＭｒよりも大きい値で第２回動方向Ｒ２へ向けて作用した場合には、図９に示すように、停止規制機構２３を第２係止状態で維持し、この状態で変換回動部２２を回動軸２８と軸孔３６との摩擦力に抗して第２回動方向Ｒ２へ回動する。すると、球誘導部２９上で遊技球を誘導せず、該遊技球の流下方向を下向きのままで維持して球流下変換部材１５の下方へ流下させる。そして、変換回動部２２の回動勢が回動軸２８と軸孔３６との摩擦力で弱まり、この状態でいずれかの変換側磁性体３１が規制側磁性体４１へ近づくと、変換側磁性体３１と規制側磁性体４１との間に吸引力に作用させて、変換回動部２２を再び第２停止姿勢へ変換する。
【００３３】
さらに、第２係止状態で遊技球が第１誘導部２９ａに衝接して、押圧回転モーメントＭｐが付勢回転モーメントＭｇ以下の大きさで第１回動方向Ｒ１へ向けて作用した場合には、球流下変換部材１５は、変換回動部２２を回動せずに第２停止姿勢を維持し、且つ錘部材３８の自重に基づく付勢力（付勢回転モーメントＭｇ）により停止規制機構２３を第２係止状態のままにする。しかしながら、押圧回転モーメントＭｐが付勢回転モーメントＭｇよりも大きい値で第１回動方向Ｒ１へ向けて作用した場合には、変換回動部２２を第１回動方向Ｒ１へ回動し、さらには揺動部３５を変換回動部２２とともに第１回動方向Ｒ１へ共回りさせる。詳しくは、球誘導部２９が遊技球との衝接により発生させた回動力を回動軸２８から揺動部３５へ伝達したり、変換側磁性体３１と規制側磁性体４１との間に吸引力を作用させたりして、揺動部３５を回動軸２８の周りに第１回動方向Ｒ１へ揺動する。そして、図４（ａ）および（ｂ）に示すように、係止突起３９を第１受部４４ａへ係止して第１係止状態へ変換するとともに、収容空部３７を第２受部４４ｂ側から第１受部４４ａ側へ下り傾斜させ、錘部材３８を収容空部３７内の他方から一方へ（第２受部４４ｂ側から第１受部４４ａ側へ）移動し、錘部材３８の自重により揺動部３５を付勢して係止突起３９と第１受部４４ａとの係止状態（第１係止状態）を維持する。さらに、変換側磁性体３１と規制側磁性体４１との間で吸引力が作用し続けて、変換回動部２２の停止姿勢および球誘導部２９の停止姿勢を第１停止姿勢で規制する。
【００３４】
このようにして、球流下変換部材１５は、遊技球が球誘導部２９へ衝接したときに発生する衝撃（押圧力）を利用して停止規制機構２３を状態変換可能としている。さらに、係止突起３９と第１受部４４ａとを係止した第１係止状態では、変換回動部２２を第１停止姿勢で停止するように規制し、係止突起３９と第２受部４４ｂとを係止した第２係止状態では、変換回動部２２を第２停止姿勢で停止するように規制する。そして、第１停止姿勢における球誘導部２９の停止姿勢と、第２停止姿勢における球誘導部２９の停止姿勢とを異ならせ、第１停止姿勢では遊技球を包囲枠体６へ近づけるように誘導し、第２停止姿勢では遊技球を包囲枠体６から遠ざけるように誘導して、球誘導部２９による遊技球の誘導方向を変換可能としている。したがって、球流下変換部材１５が誘導する遊技球の流下方向の設定を、球誘導部２９へ衝接した遊技球が伝達する力を利用して変更することができ、球流下変換部材１５へ衝接した遊技球の流下態様を変化させることができる。このことから、遊技者に遊技球の複雑な挙動を観賞させることができ、遊技の興趣の向上を図ることができる。また、変換回動部２２を停止姿勢で停止し易くしたとしても、遊技球が特定の球誘導部２９のみに衝接し易くなることを避けることができ、球誘導部２９が遊技球から受ける衝撃で破損し易くなる不都合を抑えることができる。
【００３５】
ところで、上記実施形態では、係止受部４４の位置を変更不能としたが、本発明はこれに限定されない。例えば、図１０に示す第２実施形態の球流下変換部材１５では、基本的には第１実施形態における構成と同じであるが、係止受部４４の位置を回動軸２８の周りにずらして変更可能としている点で異なる。具体的に説明すると、第２実施形態における球流下変換部材１５は、変換部材ベース部２１の停止規制機構２３側（後側）に、係止受部４４の位置を変更可能とする係止受位置変更機構５０を備えている。
【００３６】
係止受位置変更機構５０は、図１０（ａ）に示すように、係止受部４４を支持する係止受支持部２５を変換部材ベース部２１から着脱可能として備え、係止受支持部２５の変換部材ベース部２１側を円板状の蓋部２５ａで閉塞し、該蓋部２５ａを変換部材ベース部２１の裏面へ当接可能としている。また、蓋部２５ａのうち変換部材ベース部２１の軸受孔２６と重合する箇所には、回動軸２８が挿通可能な挿通孔５２を開設し、該挿通孔５２（回動軸２８）を中心にして係止受支持部２５と係止受部４４とを共回り可能としている。さらに、変換部材ベース部２１と係止受支持部２５との間には係止受位置決め部５３を備え、係止受支持部２５を変換部材ベース部２１へ係止して係止受部４４を位置決め可能としている。
【００３７】
係止受位置決め部５３は、図１０（ａ）に示すように、蓋部２５ａの前面（変換部材ベース部２１に対向する前面）の外周寄りに、複数（本実施形態では８個）の位置決め突起５４を回動軸２８（挿通孔５２）の周りに同位相ずつずれた位置（本実施形態では４５度ずつ位相がずれた位置）から前方の変換部材ベース部２１側へ向けて突設し、蓋部２５ａの外周縁には円環状のフランジ部５５を外方へ向けて突設している。また、図１０（ｂ）に示すように、変換部材ベース部２１の裏面には、位置決め突起５４がしまりばめ状態で嵌合される複数（本実施形態では８個）の位置決め受部５７を回動軸２８（軸受孔２６）の周りに同位相ずつずれた位置（本実施形態では４５度ずつ位相がずれた位置）に凹ませて形成している。さらに、変換部材ベース部２１の裏面のうち位置決め受部５７の下側には、フランジ部５５が遊嵌される円弧状のフランジ受溝部５８を設け、該フランジ受溝部５８の前後幅（回動軸２８の軸方向に沿った前後幅）を位置決め突起５４の突出長さよりも広く設定している。
【００３８】
このような構成の係止受位置変更機構５０を備えた球流下変換部材１５を組み立てるには、まず、変換部材ベース部２１の裏面側に係止受支持部２５を蓋部２５ａが変換部材ベース部２１側へ向いた姿勢で配置し、この状態で変換部材ベース部２１と係止受支持部２５とを近づけ、フランジ部５５をフランジ受溝部５８へ遊嵌する。そして、フランジ受溝部５８にフランジ部５５を沿わせて係止受支持部２５を回動し、係止受部４４を所望の姿勢に設定する（図１１（ａ）参照）。係止受部４４の姿勢を設定したならば、この状態で係止受支持部２５を変換部材ベース部２１の裏面へ押し付け、位置決め突起５４を位置決め受部５７へ嵌合して係止受支持部２５を変換部材ベース部２１へ組み付け、係止受部４４を位置決めするとともに、挿通孔５２と軸受孔２６とを連通する。さらに、変換回動部２２を球誘導部２９が誘導部カバー３２よりも変換部材ベース部２１側に位置する姿勢、且つ回動軸２８の延長線上に挿通孔５２と軸受孔２６とが位置する姿勢に設定し、この姿勢で変換回動部２２を変換部材ベース部２１側へ近づけ、回動軸２８を挿通孔５２と軸受孔２６へ挿通して係止受支持部２５の内側へ突出させる。また、揺動部３５に規制側磁性体４１および錘部材３８を予め収容しておき、この揺動部３５を係止受支持部２５内へ後方から収納し、且つ軸孔３６に回動軸２８の後端を嵌合して揺動部３５を球誘導部２９側（変換回動部２２）へ接続する。
【００３９】
そして、係止受部４４の位置を変更するには、揺動部３５を蓋部２５ａから離れる方向へ移動し、規制側磁性体４１および磁性体保持部４０と蓋部２５ａとを離間して位置決め突起５４の突出長さよりもひと回り広い隙間を形成する。このとき、回動軸２８を軸孔３６に嵌合したままにしておく。さらに、係止受支持部２５を回動軸２８の軸方向に沿って引いて変換部材ベース部２１の裏面から離し、位置決め突起５４を位置決め受部５７から外して係止受部４４（係止受支持部２５）の位置決め状態を解除する。係止受部４４の位置決め状態を解除したならば、回動軸２８が挿通孔５２および軸受孔２６に挿通している状態で、フランジ受溝部５８にフランジ部５５を沿わせて係止受支持部２５を回動し、係止受部４４を変更したい所望の変更姿勢に設定する（図１１（ｂ）参照）。そして、係止受部４４の変更姿勢を設定した状態で係止受支持部２５を変換部材ベース部２１の裏面へ押し付け、位置決め突起５４を位置決め受部５７へ嵌合して係止受支持部２５を変換部材ベース部２１へ組み付け、係止受部４４を位置決めする。さらに、揺動部３５を回動軸２８の軸方向に沿って蓋部２５ａ側へ押し入れて、揺動部３５を係止受支持部２５内へ十分に収納する。
【００４０】
このようにして、係止受位置変更機構５０により、係止受部４４を回動軸２８の周りに回動して係止受部４４の位置（姿勢）を変更可能とし、さらには変更した姿勢で位置決めを行えるように構成すれば、球誘導部２９の停止姿勢の設定、ひいては球流下変換部材１５によって案内される遊技球の流下方向の設定を容易に調整することができる。したがって、遊技球が球流下変換部材１５へ衝接してから入賞具（始動入賞口８、普図始動ゲート９、一般入賞口１２、大入賞口１３等）へ入賞する難易度を簡単に設定することができる。
【００４１】
なお、第２実施形態においては、係止受位置決め部５３を位置決め突起５４、位置決め受部５７、フランジ部５５、フランジ受溝部５８で構成したが、本発明はこれに限定されない。要は、係止受支持部２５を変換部材ベース部２１へ係止して係止受部４４の位置決めを実現できれば、どのような構成の係止受位置決め部５３であってもよい。例えば、係止受支持部２５の外周面から耳片状の位置決め係止片を外方へ向けて突設し、該位置決め係止片には係止溝を回動軸２８の円周方向に沿って延在する状態で開設し、該係止溝にビス等の止着部材を通して位置決め係止片と変換部材ベース部２１とを止着して係止受部４４を位置決めしてもよい。そして、係止受部４４の位置を変更する場合には、止着部材を緩めて位置決め状態を解除し、係止溝に止着部材を通した状態で係止受支持部２５を回動軸２８の周りに回動し、係止受部４４を所望の位置に移動したならば、止着部材を締めて係止受部４４を位置決めするように構成してもよい。
【００４２】
ところで、上記各実施形態では、係止突起３９を係止受部４４のみに当接するように構成したが、本発明はこれに限定されない。例えば、図１２に示す第３実施形態のように、係止受支持部２５の内周面のうち一対の係止受部４４の間に位置する箇所に、係止突起３９と衝接可能なゴムや軟質プラスチック等の弾性突部６０を回動軸２８側へ向けて突設してもよい。このような弾性突部６０を係止受部４４の揺動範囲内に設けた球流下変換部材１５においては、揺動部３５を回動軸２８の周りに回動して停止規制機構２３を状態変換しようとした場合に、係止突起３９を弾性突部６０へ衝接して停止規制機構２３の状態変換を許容したり規制したりする。
【００４３】
例えば、図１２（ａ）および（ｂ）に示すように、揺動部３５を第２回動方向Ｒ２へ回動（揺動）して停止規制機構２３を第１係止状態から第２係止状態へ変換しようとすると、係止突起３９を弾性突部６０へ衝接する。そして、図１２（ｃ）に示すように、係止突起３９の押圧力により弾性突部６０を弾性変形させて押し退けた場合、言い換えると係止突起３９（揺動部３５）を揺動させる回転モーメントＭｓが弾性突部６０を弾性変形させるのに十分な大きさで発生していた場合には、係止突起３９を弾性突部６０よりも第２受部４４ｂ側へ移動して第２受部４４ｂへ係止すること（停止規制機構２３を第２係止状態へ変換すること）、さらには球誘導部２９を第２停止姿勢に設定することを許容する（図１２（ｄ）参照）。
【００４４】
一方、係止突起３９の押圧力により弾性突部６０を十分に弾性変形させることができなかった場合、言い換えると係止突起３９（揺動部３５）を揺動させる回転モーメントＭｓが弾性突部６０を弾性変形させるのに不十分な大きさで発生していた場合には、弾性突部６０の弾性力により係止突起３９を第１回動方向Ｒ１へ押し返し、第２受部４４ｂへ係止すること（停止規制機構２３を第２係止状態へ変換すること）、さらには球誘導部２９を第２停止姿勢に設定することを阻止する。したがって、球誘導部２９へ衝接した遊技球の衝撃の強弱、ひいては係止突起３９の揺動勢の強弱により、弾性突部６０が球誘導部２９の停止姿勢の変換を許容したり規制したりすることができる。このことから、球誘導部２９の停止姿勢の変換態様を複雑に設定することができ、遊技の興趣を一層高めることができる。なお、弾性突部６０は、第１実施形態における変換部材ベース部２１（係止受支持部２５）に設けることに限定されず、第２実施形態における係止受支持部２５に設けてもよい。
【００４５】
ところで、上記各実施形態では誘導部カバー３２を不透明部材で形成したが、本発明はこれに限定されない。すなわち、図１３（ａ）および（ｂ）に示すように、誘導部カバー３２を透明部材で形成し、球誘導部２９の姿勢を遊技盤１の前方から誘導部カバー３２を通して視認できるように構成してもよい。誘導部カバー３２を透明部材で形成すれば、遊技者は、球誘導部２９の停止姿勢、ひいては球誘導部２９へ衝接した遊技球がどの方向へ流下していくかを容易に把握することができる。
【００４６】
また、上記各実施形態では、球誘導部２９に変換側磁性体３１を備えたが、本発明はこれに限定されない。要は、変換回動部２２に変換側磁性体３１を設け、該変換側磁性体３１と規制側磁性体４１との間に吸引力を作用させて球誘導部２９の停止姿勢を規制できれば、どのような構成であってもよい。例えば、図１４（ａ）および（ｂ）に示すように、変換回動部２２のうち球誘導部２９を挟んで誘導部カバー３２とは反対側に円板状の磁性体装着基部６２を設け、該磁性体装着基部６２に複数の変換側磁性体６３を回動軸２８の周りに同位相ずつずらして配置してもよい。
【００４７】
さらに、上記各実施形態では、球誘導部２９を回動軸２８から放射状に延出する平板形状で構成したが、本発明はこれに限定されない。要は、回動軸から離隔する方向へ延設され、遊技領域５を流下する遊技球を衝接させてその流下方向を誘導可能であれば、どのような形状で球誘導部を構成してもよい。例えば、球誘導部を回動軸２８から離隔する方向へ延出した曲板状に形成してもよいし、球誘導部と回動軸２８との間を離間して配置してもよい。そして、球誘導部の配置数は上記各実施形態で示した３つに限定されない。要は、係止突起３９と一方の係止受部４４とを係止した状態で規制される球誘導部の停止姿勢と、係止突起３９と他方の係止受部４４とを係止した状態で規制される球誘導部の停止姿勢とを異ならせて、球誘導部による遊技球の誘導方向を変換可能であれば、球誘導部の配置数を幾つに設定してもよい。
【００４８】
そして、上記各実施形態では、係止受支持部２５を円筒状部材で形成し、該係止受支持部２５の内周面に係止受部４４を突設したが、本発明はこれに限定されない。要は、変換部材ベース部２１に一対の係止受部４４を備えれば、どのような構成の係止受支持部を備えてもよい。例えば、回動軸２８の軸方向から見て断面円弧状の係止受支持部を設け、該係止受支持部の端部から係止受部４４を回動軸２８側へ向けて突設してもよい。また、係止受部４４の位置を変更不能とする場合には、係止受支持部を設けず、変換部材ベース部２１の裏面側から直接係止受部４４を突出して備えてもよい。
【００４９】
さらに、上記各実施形態では、規制側磁性体４１を磁石で構成し、変換側磁性体３１を磁石から吸引力を受ける鉄片で構成したが、本発明はこれに限定されない。要は、変換側磁性体と規制側磁性体との間に吸引力を作用させて変換回動部２２の停止姿勢を規制できれば、どのような構成であってもよい。例えば、変換側磁性体を磁石で構成し、規制側磁性体を磁石から吸引力を受ける材質（例えば鉄）で構成してもよいし、規制側磁性体および変換側磁性体を磁石で構成して互いに吸引し合う状態に設定してもよい。
【００５０】
また、上記実施形態では、代表的な遊技機であるパチンコ遊技機を例にして説明したが、本発明はこれに限らず、遊技盤の前面に遊技領域を区画形成し、該遊技領域には遊技球の流下方向を変換可能な球流下変換部材を備えた遊技機であればどのような遊技機でもよい。例えば、封入球式パチンコ機、アレンジボール式遊技機、雀球式遊技機等の遊技機であってもよい。
【００５１】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【符号の説明】
【００５２】
１  遊技盤
５  遊技領域
６  包囲枠体
１５  球流下変換部材
２１  変換部材ベース部
２２  変換回動部
２３  停止規制機構
２５  係止受支持部
２６  軸受孔
２８  回動軸
２９  球誘導部
２９ａ  第１誘導部
２９ｂ  第２誘導部
３１  変換側磁性体
３２  誘導部カバー
３５  揺動部
３６  軸孔
３７  収容空部
３８  錘部材
３９  係止突起
４０  磁性体保持部
４１  規制側磁性体
４４  係止受部
４４ａ  第１受部
４４ｂ  第２受部
５０  係止受位置変更機構
５２  挿通孔
５３  係止受位置決め部
５４  位置決め突起
５５  フランジ部
５７  位置決め受部
５８  フランジ受溝部
６０  弾性突部
６２  磁性体装着基部
６３  変換側磁性体
【図１】
2011055862.tif 000003
【図２】
2011055862.tif 000004
【図３】
2011055862.tif 000005
【図４】
2011055862.tif 000006
【図５】
2011055862.tif 000007
【図６】
2011055862.tif 000008
【図７】
2011055862.tif 000009
【図８】
2011055862.tif 000010
【図９】
2011055862.tif 000011
【図１０】
2011055862.tif 000012
【図１１】
2011055862.tif 000013
【図１２】
2011055862.tif 000014
【図１３】
2011055862.tif 000015
【図１４】
2011055862.tif 000016